(57)【要約】  インターネットにアクセスしそこからデータを検索することができる装置が存在する。これらの装置は、何らかの形態のウェブブラウザを使用してこの目的を達成する。例えばHTTP又はWAP等のウェブプロトコルを使用してウェブページを検索しレンダリングするためには、比較的高性能なクライアント装置が必要である。かかるクライアント装置には、例えばインターネット等のデータソースに直接アクセスするウェブブラウザを実行するために大量のメモリと比較的強力なプロセッサが必要である。しかし、しばしばユーザは、例えば現在の株価、交換レート又は気温等、特定の、ボリュームの小さいデータにしか関心がない。このため、比較的単純な目的を達成するために上述したようなかかる比較的高性能な装置を使用することは、不適当である。したがって、実施形態は、ユーザが、少なくとも１つのデータアイテム及び好ましくは複数のデータアイテムを指定するデータ指定手段と、データソースから指定されたデータの指定された少なくとも１つのアイテムを捕捉するデータ捕捉手段と、データ捕捉手段からデータの少なくとも１つのアイテムを無線でダウンロードするデータ表示装置と、を備え、データ表示装置は、個人用物品に組み込まれる、データ通信システムを提供する。
2005516191.tif 000002
【特許請求の範囲】
【請求項１】
入力装置と、第１の部分においてアイコンを表すデータを表示することができ、該第１の部分が前記入力装置を使用して選択可能である、ディスプレイと、前記第１の部分を選択する前記入力装置の動作に応じて、該選択された第１の部分に対応するデータを要求し受信する手段を備えた送受信器と、前記受信したデータをディスプレイの第２の部分に表示させるディスプレイドライバであって、該受信したデータが、前記要求の前に、関心があるものとして少なくとも１つのデータソースから及び好ましくは複数のデータソースから事前に選択されたものである、ディスプレイドライバとを含む個人用物品。
【請求項２】
前記入力装置が、動作可能ボタン又はスイッチと可動部材とのうちの少なくとも１つを含む、請求項１に記載の個人用物品。
【請求項３】
前記可動部材が、前記ディスプレイの少なくとも前記第１の部分を選択する回転可能ベゼルを含む、請求項２に記載の個人用物品。
【請求項４】
該個人用物品が、時計、キーホルダー、ペン、宝石又は他の装飾品、切断道具又は工具、バッグ、財布、札入れ、眼鏡、ゲーム又は玩具、カメラ、若しくは衣類又は履物の一品のうちの１つである、請求項１に記載の個人用物品。
【請求項５】
少なくとも１つのクロノグラフ機能を提供する手段と、入力装置と、複数の表示領域とデータ表示部分とを有し、各領域がそれぞれのアイコンを表示することができるものである、ディスプレイと、前記複数の表示領域のうちの１つを選択する前記入力装置の動作に応じて、該選択された領域に対応するデータを要求し受信する送受信器と、前記受信したデータを前記ディスプレイの前記データ表示部分に表示させるディスプレイドライバとを含む時計。
【請求項６】
前記表示領域が、環状部の少なくとも一部を形成し、前記データ表示部分が、該少なくとも部分的な環状部内に配置され、前記入力装置が、前記少なくとも部分的な環状部の外側に放射状に配置された回転可能ベゼルを含み、該ベゼルが、前記複数の表示領域のうちの１つを選択するよう回転可能である、請求項５に記載の時計。
【請求項７】
前記ベゼルが、前記複数の表示領域のうちの最も近い領域を選択するよう回転可能である、請求項６に記載の時計。
【請求項８】
前記ベゼルが、前記複数の表示領域のうちの１つに隣接している期間を監視する手段を更に含み、前記データを要求し受信する前記手段が、該期間にしたがって前記データを要求し受信するよう構成される、請求項６に記載の時計。
【請求項９】
前記期間が所定期間を超過する、請求項８に記載の時計。
【請求項１０】
前記複数の表示領域のうちの少なくとも１つに表示されるアイコンを表すアイコンデータのうちの少なくとも１つと、前記ディスプレイの前記データ表示部分に表示される対応するデータとを格納するメモリを更に含む、請求項５に記載の時計。
【請求項１１】
前記アイコンデータを受け取り前記メモリに格納する手段を更に含む、請求項１０に記載の時計。
【請求項１２】
前記アイコンデータに関連するメタデータを受け取り、該メタデータに従ってデータを格納するよう前記メモリの一部を予約し又は設定する手段を更に含む、請求項１０又は請求項１１に記載の時計。
【請求項１３】
時計のディスプレイに表示されるデータを選択するセレクタを含み、該時計が、メモリと、現在時刻の指示を提供する手段と、入力装置と、複数の表示セクタとデータ表示部分とを有し、各セクタがそれぞれのアイコンを表示することができるものである、ディスプレイと、前記複数のセクタのうちの１つを選択する前記入力手段の動作に応じて、該選択されたセクタに対応する以前に選択されたデータを要求し受信する手段を含む送受信器と、該受信したデータを前記ディスプレイの前記データ表示部分に表示させるディスプレイドライバとを含み、前記選択されたデータに応じて、前記時計の前記メモリを設定する設定データを生成する設定手段を更に含む、データ通信システム。
【請求項１４】
前記設定データが、前記複数の表示セクタのうちの１つのセクタに表示されるアイコンを表すアイコンデータの少なくとも１つと、前記以前に選択されたデータに関連する、該以前に選択されたデータに対応する前記受信したデータを格納するよう前記メモリを設定するためのメタデータとを含む、請求項１３に記載のデータ通信システム。
【請求項１５】
前記セレクタが、前記以前に選択されたデータに対応するアドレスデータをデータ捕捉手段によって処理するために照合し、該データ捕捉手段が、前記アドレスデータを使用して前記選択されたデータのコピーを取得するよう構成される、請求項１３に記載のデータ通信システム。
【請求項１６】
時計のディスプレイに表示されるデータを識別するセレクタを含み、該時計が、メモリと、現在時刻の指示を提供する手段と、入力装置と、複数の表示領域とデータ表示部分とを有し、各領域がそれぞれのアイコンを表示することができるものである、ディスプレイと、前記複数の表示部分のうちの１つを選択する前記入力手段の動作に応じて、該選択された領域に対応するデータを要求し受信する手段を備え、該受信したデータが前記識別されたデータに関連するものである、送受信器と、前記受信したデータを前記ディスプレイの前記データ表示部分に表示させる手段とを含み、前記セレクタが、前記識別されたデータに対応するアドレスデータを照合する、データ通信システム。
【請求項１７】
前記照合されたアドレスデータが、データ捕捉手段により、前記アドレスデータを使用して前記識別されたデータのコピーを取得するように処理するために出力される、請求項１６に記載のデータ通信システム。
【請求項１８】
前記識別されたデータに応じて、前記時計の前記メモリを設定する設定データを生成する設定手段を更に含む、請求項１６に記載のデータ通信システム。
【請求項１９】
前記設定データが、前記複数の表示領域のうちの１つの表示領域に表示されるアイコンを表すアイコンデータの少なくとも１つと、前記識別されたデータに関連する、該識別されたデータに関連する前記受信したデータを格納するように前記メモリを設定するためのメタデータとを含む、請求項１８に記載のデータ通信システム。
【請求項２０】
個人用物品と、セレクタと、データキャプチャラとを含むデータ通信システムであって、前記セレクタが、前記個人用物品のディスプレイに表示されるデータを選択し選択したデータの位置を特定するアドレスデータを照合する手段を含み、前記データキャプチャラが、前記アドレスデータを使用して前記選択されたデータのコピーを取得するように構成され、前記個人用物品が、メモリと、入力装置と、複数の表示領域とデータ表示部分とを有し、各表示領域がそれぞれのアイコンを表示することができるものである、前記ディスプレイと、前記複数の表示領域のうちの１つを選択する前記入力装置の動作に応じて、該選択された領域に対応する以前に選択されたデータを要求し受信する手段を含む送受信器と、前記受信したデータを前記ディスプレイの前記データ表示部分に表示させる手段とを含む、データ通信システム。
【請求項２１】
前記セレクタが、前記データキャプチャラが前記データの前記コピーを取得するときを制御するデータ捕捉タイミング情報を指定する手段を含む、請求項２０に記載のデータ通信システム。
【請求項２２】
前記データキャプチャラは、データ捕捉タイミング情報に応じて前記データの前記コピーを取得する、請求項２１に記載のデータ通信システム。
【請求項２３】
前記個人用物品が時計である、請求項２０に記載のデータ通信システム。
【請求項２４】
前記表示領域が、環状部に構成され、前記データ表示部分が、該環状部内に配置され、前記入力装置が、前記環状部の外側に放射状に配置されたベゼルを含み、該ベゼルが、前記複数の表示領域のうちの１つを選択するよう回転可能である、請求項２３に記載のデータ通信システム。
【請求項２５】
前記ベゼルが、前記複数の表示領域のうちの最も近い表示セグメントを選択するよう回転可能である、請求項２４に記載のデータ通信システム。
【請求項２６】
前記ベゼルが、前記複数の表示領域のうちの１つに隣接している期間を監視する手段を更に含み、前記送受信器が、該期間にしたがって前記データを要求し受信する手段を呼び出すよう構成される、請求項２５に記載のデータ通信システム。
【請求項２７】
前記複数の表示領域のうちの少なくとも１つに表示されるアイコンを表すアイコンデータのうちの少なくとも１つと、前記ディスプレイの前記データ表示部分に表示される対応するデータとを格納するメモリを更に含む、請求項２０に記載のデータ通信システム。
【請求項２８】
前記アイコンデータを受け取り前記メモリに格納する手段を更に含む、請求項２７に記載のデータ通信システム。
【請求項２９】
前記アイコンデータに関連するメタデータを受け取り、該メタデータに従って前記メモリの一部を予約し又は設定する手段を含む、請求項２８に記載のデータ通信システム。
【請求項３０】
少なくとも１つのデータアイテムの指定を可能にするデータ指定手段と、データソースから少なくとも１つのデータアイテムを捕捉するデータ捕捉手段と、該捕捉されたデータアイテムを無線通信により前記データ捕捉手段からダウンロードし該データアイテムをディスプレイに表示するよう構成された装置とを含み、該装置が時計である、データ通信システム。
【請求項３１】
前記装置が、時計ではなく、キーホルダー、ペン、宝石又は他の装飾品、ペンナイフ又は工具、バッグ、財布、札入れ、眼鏡、ゲーム又は玩具、カメラ、若しくは衣類又は履物の一品である、請求項３０に記載のデータ通信システム。
【請求項３２】
入力装置と、第１の部分にアイコンを提示するデータを表示することができ、該第１の部分が前記入力装置を使用して選択可能である、ディスプレイと、前記第１の部分を選択する前記入力装置の動作に応じて該第１の部分に対応するデータを要求し受信する手段を含む送受信器と、前記受信したデータを前記ディスプレイの第２の部分に表示させる手段とを含む個人用物品を実施するためのコンピュータプログラムコード手段を格納したコンピュータ読取可能記憶域又はコンピュータ読取可能記憶媒体を含む、コンピュータプログラム製品。
【請求項３３】
請求項１ないし請求項３１の何れか一項に記載のデータ通信システム、個人用物品、又は時計を実施するためのコンピュータプログラムコード手段を格納したコンピュータ読取可能記憶媒体又はコンピュータ読取可能記憶域を含む、コンピュータプログラム製品。
【請求項３４】
時間が表示可能な視覚モニタと、
複数のデータソースの視覚指示を提供しユーザが該データソースのうちの１つを選択するよう操作可能な選択装置と、
選択されたデータソースからデータを要求し受信するよう動作可能な、前記選択装置に接続された送受信器と、
選択されたソースから受信されたデータを前記モニタに表示させるよう構成されたディスプレイドライバと
を含む時計。
【請求項３５】
前記選択装置が、前記データソースを表すアイコンが表示されるディスプレイを含む、請求項３４に記載の時計。
【請求項３６】
前記選択装置の前記ディスプレイが、前記視覚モニタの一領域である、請求項３５に記載の時計。
【請求項３７】
前記選択装置が、アイコンを選択するよう手動で動作可能な動作装置を含む、請求項３５に記載の時計。
【請求項３８】
前記アイコンが、データ入力ポートを介して受信可能である、請求項３５に記載の時計。
【請求項３９】
前記データ入力ポートが、前記送受信器を含む、請求項３８に記載の時計。
【請求項４０】
前記アイコンが、前記時計内に永久的に構成される、請求項３５に記載の時計。
【発明の詳細な説明】
【技術分野】
【０００１】
本発明は、通信システム及び方法に関し、特に、分散した情報ソースを指定し、該ソースからデータを取得し、及び該データを無線通信により携帯型表示装置へ通信するためのシステム及び方法に関するものである。
【背景技術】
【０００２】
ユーザが移動中にデータソースからデータを取得するのを可能にする既知の装置が存在する。例えば、国際公開WO00/50963号はウェアラブル装置を開示しており、該装置は、金融情報を無線で受信して該装置の着用者に出力する。該装置の主な機能は、時計としての機能であり、金融情報の表示は追加の機能である。しかし、この装置は、特定の１つのデータソースとの通信に専用のものである。
【０００３】
インターネット及び複数のデータソース（例えばWAP携帯電話等）への無線アクセスを容易にする装置が知られている。しかし、パーソナルコンピュータと同様に、これらは、ウェブブラウジングソフトウェアを使用する傾向を有し、該ウェブブラウジングソフトウェアは、ユーザがウェブサイトにアクセスすることができる前に適当なURLを使用し又は事前に格納されたアドレスを選択することによりロードし指示しなければならないものである。かかる装置の一例が国際公開WO01/82027A2に開示されている。
【発明の開示】
【発明が解決しようとする課題】
【０００４】
頻繁にアクセスされるサイトの場合、及び多くのユーザが特定数のサイトに頻繁にアクセスする場合、特に、ユーザが関心を有するサイトから単一のデータアイテムのみ（株価、スポーツの得点、列車時刻等）が選択される場合には、これは厄介なものとなる可能性がある。国際公開WO01/71557A2は、関心のあるデータしか送信しないことにより、かかるシステムのトラフィック伝送要件を低減させるよう試みるシステムを開示している。しかし、該システムは、受信したデータをそれよりも前にレンダリングされたHTMLページ内に正しく配置する比較的高性能なクライアントアプリケーションが受信側の装置で実行されていることを必要とする。かかるクライアントアプリケーションをサポートするための処理要件及びメモリ要件は、シン（thin）クライアントアプリケーションには不適当なものである。
【０００５】
本発明の目的は、従来技術の問題の幾つかを少なくとも軽減させることにある。
【課題を解決するための手段】
【０００６】
したがって、本発明の実施形態の第１の態様により提供されるデータ通信システムは、ユーザが複数のデータアイテムを指定するためのデータ指定手段と、該指定されたデータアイテムをデータソースから捕捉するデータ捕捉手段と、該捕捉されたデータアイテムのうちの少なくとも１つを該データ捕捉手段から無線通信によりダウンロードするデータ表示装置とを含み、該データ表示装置が時計に組み込まれる。
【０００７】
有利なことに、本発明の実施形態は、ユーザが、過大な時間、労力、及び煩雑さを必要とせずに、またクライアント装置において比較的シックな（thick）クライアントアプリケーションを実行する必要なしに、複数のデータソースへのモバイルアクセスを獲得することを可能にする。
【０００８】
本発明の実施形態の第２の態様により提供されるデータ通信システムは、複数のデータアイテムの指定を可能にするデータ指定手段と、該指定されたデータアイテムをデータソースから捕捉するデータ捕捉手段と、該データ捕捉手段から前記指定されたデータアイテムを無線通信によりダウンロードするデータ表示装置とを含み、該データ表示装置が個人用物品に組み込まれ、該個人用物品が追加の機能を有するものとなる。
【０００９】
本書で用いる「個人用物品（personal article）」なる表現は、ユーザが携行し、装着し、又は所持することができる任意の物品を含み又は意味するものである。
【００１０】
前記追加の機能は、ユーザに対して個人的な物品が実行することが可能である任意の機能とすることが可能であり、データ表示装置としての物品の機能に対して付加的なものであり、及び非無線通信関連機能である。追加の機能は、個人用物品の主機能とすることが可能である。例えば、追加の機能は、時計、キーホルダー、ペンその他の筆記用具、宝石その他の装飾品、ペンナイフ又は工具、懐中電灯、バッグ、財布又は札入れ、眼鏡、ゲーム又は玩具、カメラ、又は衣類若しくは履物アイテムとしての機能とすることが可能である。
【００１１】
本発明の実施形態は、ユーザが、データ表示装置を組み込んだ個人用物品を所有した際に、複数のデータソースにアクセスすること、特にそれらデータソースから選択されたデータアイテムにアクセスすることを可能にする。更に、データ表示装置は、それらの特定のソースに対して専用のものではなく、ユーザがデータソースを指定できるものである。事実上、別個の装置すなわちデータ指定手段又はセレクタを用いたユーザによるデータソースの指定、及び更なる装置であるデータ捕捉手段すなわちデータキャプタ（captor）又はキャプチャラ（capturer）における指定されたデータの捕捉は、データ表示装置におけるブラウジング又はそれと等価なタイプのソフトウェア機能を不要とすることを可能にする。更に、データ表示装置の「形態」、すなわち、データソースにアクセスする個人用物品手段へのデータ表示装置の組み込みは、追加の物品を必要としないものである。このため、指定されたデータアイテムにアクセスすることに伴う時間、労力、及び複雑さが、例えばPDA又はWAP対応装置を使用する場合と比較して低減される。
【００１２】
データ表示装置は、データアイテムのダウンロードを要求する要求手段を含むことが可能である。データ表示装置は、好ましくは処理回路を含み、該処理回路に前記要求手段が連結され、該処理回路は、前記要求手段の動作に応じて、データ捕捉手段からデータをダウンロードするために該データ捕捉手段に無線通信される要求を生成する。前記要求手段は、ダウンロードする特定のデータアイテムを選択する選択手段を含むことが可能である。該選択手段は、データアイテムの繰り返しのダウンロードをサポートすることが可能である。該選択手段は、指定された時間間隔で又はアイテムが変化した場合に繰り返しダウンロードするデータアイテムを選択するよう動作可能なものとすることができる。該選択手段は、複数の状態のうちの任意の１つを採用するよう動作可能なものとすることが可能であり、その数は、指定されたデータアイテムの数に対応する。該選択手段はまた、どの状態がどのデータアイテムに対応するかをユーザが識別することが可能となるように、しるしを含むことが可能である。
【００１３】
データ表示装置の実施形態は、更に、データ表示装置とデータ捕捉手段との間での無線通信を可能にする通信手段を含む。データ表示装置はまた、ダウンロードされたデータアイテムを表示するディスプレイを含む。好ましくは、データ表示装置は、ダウンロードの完了を知らせる可聴警報手段を含む。更に、データ表示装置は、好ましくは、ダウンロードされたデータアイテムを保持するメモリを備え、これにより、例えば表示の準備を整え、又は少なくとも１つの以前にダウンロードされた他のデータアイテムとの比較の準備を整える。
【００１４】
要求手段は、ダウンロードするための要求を開始することのできるスイッチ構成又はその他のアクチュエータ構成とすることが可能である。前記選択手段は、各状態毎の別個のスイッチ、又は各状態間で動作可能な１つのスイッチを含むことが可能である。例えば、所定数のデータアイテム（例えば８つのデータアイテム）をダウンロードするデータ表示装置の場合には、各アイテム毎に１つずつのスイッチ、又は所定数の状態又は位置のうちの任意のものの間で動作可能なスイッチが存在することが可能である。各スイッチ又はスイッチ状態は、例えば対応する色を使用して指示し又はコード化することが可能であり、又はおそらくはデータ表示装置にダウンロードされることになる個々のアイコンを有することが可能であり、又はユーザが状態又は位置とデータアイテムとを関連付けることを可能にする他のしるしを有することが可能である。１つ又は２つ以上のスイッチは、例えば１回の動作が１回のダウンロードを要求し、２回の動作が繰り返しのダウンロードを要求し、３回の動作がデータアイテムが変化した場合にのみダウンロードを要求するように、構成することが可能である。
【００１５】
好ましい実施形態では、データ表示装置を時計に組み込み、該時計のリムの周囲の回転可能なベゼルが選択手段又は選択機構としての役割を果たし、該ベゼルが、所定数の位置又は状態の各々へと回転することが可能である。データ表示装置が他の物品に組み込まれる場合には、かかる物品の他の既存の要素又は特徴を、選択手段又は機構の役割を果たすように又は複数の位置又は状態を提示するように適応させることが可能であることが理解されよう。例えば、ペン又は鉛筆のアクチュエーション機構又はクラッチ機構が選択手段又は選択機構としての役割を果たすことが可能である。
【００１６】
データ捕捉手段は、データ表示装置からダウンロードするための要求又はデータを捕捉する内部的に生成された指示に応答する応答手段を含むことが可能である。
【００１７】
該応答手段は、一回だけ又は繰り返しデータを捕捉することが可能である。捕捉されたデータアイテムを評価して、データ表示装置の更新といった所定の動作を実行できるようにすることが可能である。データ捕捉手段は、データアイテムをデータソースから抽出することで該データアイテムの捕捉を行うことが可能である。該データソースは、インターネットその他のデータネットワーク上のサイトとすることが可能であり、この場合、データアイテムはウェブページの情報の一部である。データ捕捉手段は更に、好ましくは、データアイテムを指定するデータ指定手段によってアクセスされるよう構成される。
【００１８】
データ捕捉手段は、コンピュータサーバという形をとることが可能である。該サーバはIPアドレスを有することが可能であり、これにより、パーソナルコンピュータ、ラップトップコンピュータ、携帯電話、WAP対応装置、又はその他のあらゆるインターネット対応装置を用いて該サーバにウェブサイトのようにアクセスすることが可能となる。該サーバは、ユーザがデータアイテムを指定するウェブページタイプコンテンツを提示することが可能であり、該データアイテムはパスワードその他の方法でセキュアに保護することが可能であり、ユーザがデータ捕捉のための指定を変更できるようにすることが可能である。
【００１９】
データ指定手段は、データ捕捉手段にアクセスすることができるあらゆる装置を含むことが可能である。例えば、データ捕捉手段がサーバコンピュータからなる場合、データ指定手段は、パーソナルコンピュータ、ラップトップコンピュータ、携帯電話、WAP対応装置、又はその他の任意のインターネット対応装置とすることが可能である。データ指定手段には、データ捕捉手段へのアクセスをサポートするソフトウェアを配設することが可能である。該ソフトウェアはまた、データ表示装置の構成を容易にすることが可能である。データ指定手段及びデータ捕捉手段は、装置に関する設定プロセスの一部として、直接に又はネットワークを介して互いに通信することが可能である。
【００２０】
本発明の実施形態の更なる態様は、本書で説明するようにシステム、装置、又は個人用物品を実施するコンピュータプログラムコード手段を含むコンピュータプログラム要素を提供する。更なる実施形態は、コンピュータプログラム要素等を格納するコンピュータ読取可能記憶域又はコンピュータ読取可能記憶媒体を含む、コンピュータプログラム製品を提供する。コンピュータプログラム及びコンピュータプログラム要素なる用語は、完全なすなわち完結したプログラム、又は、例えばライブラリルーチン、サブルーチン、モジュール等のプログラムの一部の何れかを指している。
【００２１】
本発明の実施形態の更なる態様により提供されるデータ通信方法は、データ指定手段を使用して複数のデータアイテムを指定し、該指定されたアイテムをデータ捕捉手段においてデータソースから捕捉し、該データ捕捉手段から無線通信によりデータ表示装置へデータアイテムをダウンロードする、という各ステップを含み、該データ表示装置が個人用物品に組み込まれ、該物品が追加の機能を有するものとなる。
【００２２】
本発明の実施形態は更に、装置においてブラウジング又はそれと等価なタイプのソフトウェア又は機能を使用することなく複数のデータソースから取り出されたデータアイテムをダウンロードするデータ表示装置を提供し、該データ表示装置がユーザの個人的な物品に組み込まれて、該物品が追加の機能を有するものとなる。
【００２３】
好ましくは、本発明の実施形態により提供される個人用物品は、入力装置と、該入力装置を使用して選択することが可能な第１の部分にアイコンを表すデータを表示することができるディスプレイと、該第１の部分を選択するための前記入力装置の動作に応じて該選択された第１の部分に対応するデータを要求し受信する手段を含む送受信器と、該受信したデータを前記ディスプレイの第２の部分に表示させるディスプレイドライバとを含み、この場合、該受信したデータは、前記要求よりも前に、関心があるものとして、少なくとも１つのデータソースから、好ましくは複数のデータソースから以前に選択されたものである。
【００２４】
好ましくは、本発明の実施形態による個人用物品は、その入力装置が、動作可能ボタン又はスイッチと可動部材とのうちの少なくとも一方を含むものとなる。実施形態によっては、該可動部材は、ディスプレイの少なくとも第１の部分を選択するための回転可能なベゼルを含むことが可能である。
【００２５】
個人用物品の実施形態は、時計、キーホルダー、ペン、宝石その他の装飾品、切断道具又は工具、バッグ、財布、札入れ、眼鏡、ゲーム又は玩具、カメラ、又は衣類若しくは履物アイテムを含む。
【００２６】
好ましい実施形態により提供される時計は、少なくとも１つのクロノグラフ機能を提供する手段と、入力装置と、複数の表示領域及びデータ表示部分を有するディスプレイであってその各領域がそれぞれのアイコンを表示することができるディスプレイと、前記複数の表示領域のうちの１つを選択する前記入力装置の動作に応じてその選択された領域に対応するデータを要求し受信する送受信器と、該受信したデータを前記ディスプレイの前記データ表示部分に表示するディスプレイドライバとを含むものとなる。
【００２７】
好ましくは、本発明の実施形態により提供される時計では、前記複数の表示領域が環状部の少なくとも一部を形成し、前記データ表示部分が該環状部の該少なくとも一部内に配置され、前記入力装置が、前記環状部の前記少なくとも一部の外側に放射状に配置された回転可能なベゼルからなり、該ベゼルが前記複数の表示領域のうちの１つを選択するように回転可能となる。前記複数の表示領域のうちの最も近い領域を選択するように前記ベゼルが回転可能である実施形態が提供される。
【００２８】
該ベゼルの移動は、該ベゼルが表示領域に対して所定位置をとった際に即座にデータの要求を生じさせることが可能なものである。しかし、これは、トラフィックひいては時計の電力消費要件を増大させるものとなる。適切には、本発明の実施形態により提供される時計は、ベゼルが複数の表示領域のうちの１つに隣接している期間を監視する手段を含み、該期間に従ってデータを要求し受信するように、要求及び受信を行う手段が構成される。好ましくは、該期間は所定時間を超過すべきである。
【００２９】
本発明の実施形態により提供される時計は更に、複数の表示領域のうちの少なくとも１つに表示されることになるアイコンを表すアイコンデータのうちの少なくとも１つと、これに対応してディスプレイのデータ表示部分に表示されることになるデータとを格納するためのメモリを含む。好ましくは、本発明の実施形態により提供される時計は更に、アイコンデータを受信して前記メモリに格納する手段を含むものとなる。
【００３０】
時計のメモリ容量は、WAP電話等のより高性能な装置と比べて制限されたものとなる可能性がある。したがって、時計のメモリは好ましくは慎重に管理されるべきである。適切には、本発明の実施形態により提供される時計は、アイコンデータに関連するメタデータを受け取り及び該メタデータに従ってデータを格納するようにメモリの一部を予約し又は設定する手段を含む。該メタデータは時計のメモリの効率的な利用を支援する。
【００３１】
本発明の実施形態の更なる態様により提供されるデータ通信システムは、時計のディスプレイ上に表示されるべきデータを選択するためのセレクタを含み、該時計は、メモリと、現在時刻の指示を提供する手段と、入力装置と、複数の表示セクタとデータ表示部分とを有し、各セクタがそれぞれのアイコンを表示することができるものである、ディスプレイと、前記複数のセクタのうちの１つを選択する入力手段の動作に応じて該選択されたセクタに対応する以前に選択されたデータを要求し受信する手段を含む送受信器と、該受信したデータをディスプレイのデータ表示部分に表示するディスプレイドライバとを含み、前記選択されたデータに応じて時計のメモリを設定するための設定データを生成する設定手段を更に含むものとなる。
【００３２】
有利なことに、設定データは、時計のメモリの効率的な使用をサポートする。
【００３３】
好ましくは、設定データは、複数の表示セクタのうちの１つのセクタに表示すべきアイコンを表すアイコンデータの少なくとも１つと、以前に選択されたデータに対応する受信したデータを格納するようメモリを設定するための、該以前に選択されたデータに関連するメタデータとを含む。
【００３４】
データは、単一データソースから選択することが可能であり、又は複数のデータソースから選択することが可能である。
【００３５】
ユーザが関心のあるデータを選択し又は識別すると、該データに対する参照を、好ましくは該データが取り出し可能となるように格納しなければならない。したがって、本発明の実施形態により提供されるデータ通信システムでは、セレクタが、データ捕捉手段により処理するために以前に選択されたデータに対応するアドレスデータを照合し、該データ捕捉手段は、該アドレスデータを使用して選択されたデータのコピーを取得するよう構成される。有利なことに、該照合されたデータをアプリケーションにより使用して、選択され又は識別されたデータのコピーを取り出すことができる。
【００３６】
取り出すべきデータを指定するための手段を有するのがユーザにとって有利である。適切には、本発明の実施形態により提供されるデータ通信システムは、時計のディスプレイに表示すべきデータを識別するセレクタを含み、該時計は、メモリと、現在時刻の指示を提供する手段と、入力装置と、複数の表示領域及びデータ表示部分を有するディスプレイであってその各領域がそれぞれのアイコンを表示することができるものであるディスプレイと、複数の表示部分のうちの１つを選択する入力手段の動作に応じてその選択された領域に対応するデータを要求し受信する手段を含む送受信器であって受信したデータが識別されたデータに関連するものである送受信器と、受信したデータをディスプレイのデータ表示部分に表示させる手段とを含み、前記セレクタが、前記識別されたデータに対応するアドレスデータを照合する。
【００３７】
本発明の実施形態により提供されるデータ通信システムでは、照合されたアドレスデータは、該アドレスデータを使用して識別されたデータのコピーを取得するようデータ捕捉手段により処理するために出力される。
【００３８】
本発明の実施形態により提供されるデータ通信システムは更に、識別されたデータに応じて、時計のメモリを設定するための設定データを生成する、設定手段を更に含む。好ましくは、本発明の実施形態により提供されるデータ通信システムでは、設定データは、複数の表示領域のうちの１つの表示領域に表示されるアイコンを表すアイコンデータの少なくとも１つと、識別されたデータに関連する受信したデータを格納するようメモリを設定するための、該識別されたデータに関連するメタデータとを含む。
【００３９】
本発明の実施形態の更なる態様により提供されるデータ通信システムは、個人用物品と、セレクタと、データキャプチャラとを含み、該セレクタは、個人用物品のディスプレイに表示されるデータを選択し選択したデータの位置を特定するアドレスデータを照合する手段を備え、前記データキャプチャラは、アドレスデータを使用して選択されたデータのコピーを取得するように構成され、前記個人用物品は、メモリと、入力装置と、複数の表示領域及びデータ表示部分を有しその各表示領域がそれぞれのアイコンを表示することができるものであるディスプレイと、複数の表示領域のうちの１つを選択する入力装置の動作に応じてその選択された領域に対応する以前に選択されたデータのコピーを要求し受信する手段を含む送受信器と、その受信したデータをディスプレイのデータ表示部分に表示させる手段とを含む。
【００４０】
関心のあるデータの取り出しは、要求に応じて、又は所定の時間及び時間間隔で、行うことができる。適切には、本発明の実施形態により提供されるデータ通信システムでは、セレクタは、データキャプチャラがデータのコピーを取得するときを制御するためのデータ捕捉タイミング情報を指定する手段を含む。好ましくは、該データキャプチャラ手段は、該データ捕捉タイミング情報に応じてデータのコピーを取得する。
【００４１】
好ましい実施形態により提供されるデータ通信システムでは個人用物品が時計である。
【００４２】
好ましくは、本発明の実施形態により提供されるデータ通信システムは、表示領域が、環状部に構成され、データ表示部分が、環状部内に配置され、入力装置が、環状部の外側に放射状に配置されたベゼルを含み、該ベゼルが複数の表示領域のうちの１つを選択するように回転可能である。該ベゼルが、複数の表示領域のうちの最も近い表示領域を選択するように回転可能である、実施形態を提供する。
【００４３】
本発明の実施形態により提供されるデータ通信システムは更に、前記ベゼルが複数の表示領域のうちの１つに隣接している期間を監視する手段を含み、送受信器は、該期間にしたがってデータを要求し受信する手段を呼び出すよう構成される。
【００４４】
好ましくは、データ通信システムの実施形態は更に、複数の表示領域のうちの少なくとも１つに表示されるアイコンを表すアイコンデータのうちの少なくとも１つと、ディスプレイのデータ表示部分に表示される対応するデータとを格納するメモリを含む。好ましくは、実施形態は、アイコンデータを受け取りメモリに格納する手段を提供する。更により好ましくは、本発明の実施形態により提供されるデータ通信システムは、アイコンデータに関連するメタデータを受け取り、該メタデータに従ってメモリの一部を予約又は設定する手段を更に含む。
【００４５】
本発明の実施形態の更なる態様により提供されるデータ通信システムは、少なくとも１つのデータアイテムの指定を可能にするデータ指定手段と、データソースから少なくとも１つのデータアイテムを捕捉するデータ捕捉手段と、その捕捉されたデータアイテムを無線通信により該データ捕捉手段からダウンロードして該データアイテムを装置のディスプレイに表示させるよう構成された装置とを含み、該装置が時計である。
【００４６】
代替的には、前記装置が、時計ではなく、キーホルダー、ペン、宝石又は他の装飾品、ペンナイフ又は工具、バッグ、財布、札入れ、眼鏡、ゲーム又は玩具、カメラ、若しくは衣類又は履物の一品のうちの１つである、実施形態が提供される。
【００４７】
本発明の実施形態の更なる態様により提供されるコンピュータプログラム製品は、入力装置と、第１の部分にアイコンを提示するデータを表示することができ、該第１の部分が入力装置を使用して選択可能である、ディスプレイと、第１の部分を選択する入力装置の動作に応じて第１の部分に対応するデータを要求し受信する手段を備えた送受信器と、受信したデータをディスプレイの第２の部分に表示する手段とを含む個人用物品を実施するためのコンピュータプログラムコード手段を格納したコンピュータ読取可能記憶域又はコンピュータ読取可能記憶媒体を含む。
【００４８】
本発明の実施形態の別の態様により提供されるコンピュータプログラム製品は、本書に記載するような、データ通信システム、個人用物品又は時計、データ指定手段又はセレクタ、又はデータ捕捉手段又はデータキャプチャラを実施するためのコンピュータプログラムコード手段を格納するコンピュータ読取可能記憶媒体又はコンピュータ読取可能記憶域を含む。
【００４９】
本発明の実施形態の更なる態様により提供されるデータ通信システムは、ユーザが複数のデータアイテムを指定するデータ指定手段と、該指定されたデータアイテムをデータソースから捕捉するデータ捕捉手段と、該捕捉されたデータアイテムのうちの少なくとも１つを該データ捕捉手段から無線通信によりダウンロードするデータ表示装置とを含み、該データ表示装置が時計に組み込まれる。
【００５０】
好ましくは、本発明により提供されるデータ通信システムでは、データ表示装置が、時計ではなく、キーホルダー、ペン、宝石又は他の装飾品、ペンナイフ又は工具、バッグ、財布、札入れ、眼鏡、ゲーム又は玩具、カメラ、若しくは衣類又は履物に組み込まれる。
【００５１】
本発明の更なる態様により提供されるデータ通信方法は、データ指定手段を使用してデータの複数のアイテムを指定し、該データ捕捉手段においてデータソースから指定されたアイテムを捕捉し、該データ捕捉手段からデータ表示装置への無線通信により前記データアイテムをダウンロードする、という各ステップを含み、前記データ表示装置が時計に組み込まれる。
【００５２】
ここで、図面を参照して本発明の実施形態を例として説明する。
【発明を実施するための最良の形態】
【００５３】
図１は、データ通信システム100の実施形態の概略図である。システム100は、コンピュータ102と、サーバ104と、モバイル装置108に組み込まれたデータ表示装置106と含む。好ましい実施形態では、モバイル装置は腕時計であり、これについては図２を参照して後述する。腕時計は、モバイル装置又は個人用物品を実現したものとすることが可能である。
【００５４】
コンピュータ102は、ユーザに対し関心のあるデータアイテムの位置を特定しそれを指定するためにデータソースをブラウジングするデータアイテム指定ソフトウェア110を含む。コンピュータ102は、ソフトウェア110と相まって、データ指定手段又はセレクタの少なくとも一部の実現の一形態を表すものとなる。ソフトウェア110は、サーバ104において実行可能なデータ捕捉ソフトウェア114に送信し該データ捕捉ソフトウェア114により使用されるデータアイテムのアドレスを含むアドレスデータ112を編集するために使用される。サーバ104及びデータ捕捉ソフトウェア114は、データ捕捉手段又はデータキャプチャラの少なくとも一部の実現の一形態を表すものである。好ましい実施形態では、アドレスデータ112は、インターネット120とそれぞれのウェブサーバ122,124とによってアクセス可能な、例えばウェブページ116,118等のウェブページのURLを含む。例示の目的で、ウェブページ116,118を、それぞれのHDD130,132に格納された、ユーザ（図示せず）に対して関心のあるそれぞれのデータアイテム126,128を含むように示す。アドレスデータは更に、関心のあるデータアイテム126,128のウェブページ116,118内の特定の位置を識別するデータを含む。
【００５５】
好ましい実施形態では、データアイテム指定ソフトウェア110は、関心のあるデータアイテムについてアドレスデータ112を照合することに加えて、データアイテムの検索の時刻又は頻度の指定を可能にすると共に、随意選択的に、データを、時計からダウンロード要求を受信することを見越してサーバに格納すべきか、データアイテムを表示する要求を受信することを見越して時計に転送すべきか、又はデータアイテム（複数可）の到来をユーザに通知すべきであるという指示と共に腕時計に転送すべきかの指示を可能とする。
【００５６】
コンピュータ102はまた、関心のあるデータアイテム126,128を受信し表示するようモバイル装置108を設定するために使用されるモバイル装置設定ソフトウェア134もサポートする。設定ソフトウェア134により、ユーザは、各データアイテム126,128に関連するアイコンを選択することができる。アイコンは、表示するデータアイテムの選択をサポートするために、モバイル装置のディスプレイに表示される。好ましくは、設定ソフトウェアは、１つ又は２つ以上のアイコンを表すアイコンデータ138と、該１つ又は２つ以上のアイコンと共に表示され又は該アイコンに関連するデータを記述するメタデータ140とを含む設定データ136を生成する。
【００５７】
モバイル装置108は、任意の適当な形態の通信チャネルを介して設定データ136を使用して設定することが可能である。例えば、モバイル装置108は、コンピュータ102と通信し、直接リンクを介して設定データを受け取ることが可能である。直接リンクは、例えばBluetooth、IEEE  802.11b、又は他の何らかの無線プロトコルを使用する例えばUSB又は無線リンク等の直接物理リンクとすることが可能である。代替的に、設定データをサーバ104に転送することが可能であり、この場合には、既存の無線通信インフラストラクチャを使用して設定データ136をモバイル装置に転送するようにデータ捕捉ソフトウェア114を構成することができる。
【００５８】
サーバ104は、上述したように、データアイテム130,132のうちの要求されたもののコピー142を、アドレスデータ112を使用して取り出し格納するデータ捕捉ソフトウェア114を含む。データアイテムのうちの１つに対する要求を、通信ソフトウェア146の制御下で動作する無線送受信器144を介してモバイル装置108から受信する。送受信器144を、適当なアンテナ148を介して無線でモバイル装置108とデータを交換するように構成する。
【００５９】
上述したように、モバイル装置108は、特に選択されたデータアイテムを表示するディスプレイ106を含む。モバイル装置108は、好ましい実施形態では、装置を時計として動作させディスプレイ106に時刻を表示するプロセッサ150を含む。プロセッサ150はまた、無線送受信器152を使用して、サーバ104とモバイル装置設定ソフトウェア134とのうちの少なくとも一方とのデータ交換をサポートするよう動作可能である。モバイル装置108は、メモリ154を含む。プロセッサ150は、アイコンデータ138を格納するようメモリ154を設定し、好ましくは又は随意選択的に、アイコンデータ138に関連する選択されたデータアイテムを格納するために利用可能な記憶域156が十分に存在することを保証するようにメタデータ140に照らしてメモリ154を設定するように構成される（すなわち、メタデータは、アイコンデータに関連する選択されたデータを格納するために十分な数のワードが利用可能であることを保証するよう構成される）。メモリ154は、本開示の実施形態では、８つまでのアイコンを格納することができ、該８つのアイコンに対応する選択されたデータアイテムを格納するよう設定することができる。アイコンは、ディスプレイ106上に表示され、対応する選択機構又は手段158を使用して選択することができる。該選択機構又は手段158を使用して、表示されたアイコンのうちの１つを選択すると、次いで該選択機構又は手段158が、該選択されたアイコンに対応するダウンロード要求を送受信器152を介してサーバ104に送信する。データ捕捉ソフトウェア114は、該選択されたアイコンに対応するデータアイテムの格納されたコピー142から抽出された選択されたデータアイテムを返す。
【００６０】
図２を参照すると、腕時計200の形態のモバイル装置108の好ましい実施形態が示されている。腕時計200は、液晶ディスプレイ（LCD）204を支持する本体202を含む。LCD204は、中央データ表示部206と複数の周辺表示領域208とを含み、それらが共にプロセッサ150の制御下で現在時刻を表示する主機能を実行する。時刻は、適当な数字を使用して数値形態で表示することが可能であり、またシミュレートされたアナログ針を使用してアナログ形態で表示することが可能である。好ましい実施形態では、LCDは８つの周囲領域を含む。好ましくは、表示領域は、環状部を形成し、あらゆる所与の領域が切頭扇形又は部分環状部として形成される。
【００６１】
領域208とデータ表示部分206とを二次機能として使用することにより、複数の制御ボタン210〜214のうちの１つのユーザによる動作に応じて、アイコンとそれに対応するデータアイテムとを表示する。図２は、２つの領域216,218を、それぞれのアイコン220,222を含むものとして示している。図示する例では、アイコンは、現在気温℃とポンド・ドル交換レート£/＄とを表している。表示領域208のうちの１つ、すなわち、例えば領域216,218のうちの１つ等の、アイコンを含む領域のうちの１つを選択する回転可能ベゼル224が存在する。好ましい実施形態では、他のアイコンに対して表示輝度を上昇させることにより、現在選択されているアイコンを示す。好ましい実施形態では、ベゼルが回転するにしたがい、現在選択されているアイコンの表示輝度が他のアイコンに対して上昇し、他のアイコンは全て同じ相対的に低い輝度を有する。ベゼル224を回転させることにより、輝度の変化が表示されたアイコンを段階的に進み、事実上、アイコンを含まない領域は好ましくは選択不能となる。これにより、所望の情報のアイテムのより高速な選択が容易になる。ベゼル224を使用してアイコンを選択することにより、該選択されたアイコンに対応するダウンロード要求がサーバ104に自動的に送信され、該サーバ104は、これに応じて該選択されたアイコンに対応するデータアイテムを転送する。受信したデータアイテムは、選択されたアイコンに対応する記憶位置156のうちの１つ内に格納され、及びLCD204の中央部分206に表示される。
【００６２】
好ましい実施形態では、輝度の変化は短く、すなわち所定時間にわたり持続する。これは、主に電力消費を節約するために行われる。
【００６３】
また、時計は、ユーザによって装着されるのを可能にするために、通常のブレスレット、ストラップ又は他の手段226を含む。
【００６４】
該腕時計はまた、時刻、日付、クロノグラフ、アラーム等を含む時計としての機能に加えて、ダウンロードしたデータを表示することができる追加機能も有することも理解することができる。
【００６５】
システムの使用方法は次の通りである。腕時計200を購入した際に、ユーザは、サーバ104のIPアドレスと、識別コードと、パスワードと、データアイテム指定ソフトウェア110及びモバイル装置設定ソフトウェア134に対応するソフトウェアとを受け取る。コンピュータ102にロードされたソフトウェアを使用して、ユーザは、以下の目的で、サーバ104によってホストされる複数のページにアクセスする。すなわち、最大で８つのインターネットサイトウェブページを識別するのを可能にし、次いで該ウェブページ内に埋め込まれている特定のデータアイテムの位置を識別する。ユーザは、例えば、８つのアドレスのうちの１つとして気象ウェブページのアドレスを指定し、そのページ内で、例えばある都市について報告されている気温を識別することが可能である。別の７つのデータアイテムを同様に識別することが可能である。ユーザはまた、各データアイテム毎に該データアイテムを捕捉するための方法を指定する。該捕捉は、腕時計200から受け取った要求に応じて１回、腕時計200から受け取った要求に応じて繰り返し、又は腕時計200から受け取った要求とは無関係に繰り返し、発生させることが可能である。例えば、その都市に対する気温示度を、要求に応じて又は該要求に続いて繰り返し、又は単に一旦指定された要求に対し準備を整えて繰り返し、気象ウェブページから捕捉することが可能である。サーバ104に対し、取り出すべきデータアイテムをその取り出しの周期又は頻度と共に指定すると、該サーバ104は、適当な１つ又は２つ以上の時刻に指定されたデータアイテムを取り出すことができる。
【００６６】
好ましい実施形態では、腕時計は、ダウンロードの完了時に、選択されたデータアイテムがダウンロードされたことを示す可聴警報を生成するよう構成される。
【００６７】
ユーザは、気温に継続的な関心を示す場合には、ベゼル224を所定回数、例えば２回、「℃」アイコン又は領域を往復して迅速に移動させ、サーバ104に対しダウンロードを繰り返す要求を連続的に生成し通信する。これに応じて、サーバ104は、データアイテムを監視し、例えば毎時間それを取り込み、あらゆる変化を自動的に腕時計200にダウンロードする。ユーザがもはや定期的に更新されることを望まない場合には、ベゼル224を中立位置に配置することが可能であり、その結果として、サーバ104に送信される「監視停止メッセージ」を生成し通信し、これによりデータ捕捉ソフトウェアがデータアイテムの取得を終了する。代替的に又は追加的に、現在選択されているアイコンに対し、ボタン210〜214を使用して、データ捕捉ソフトウェアの監視モードを終了することが可能である。
【００６８】
代替的な実施形態では、事前に設定されたアイコンを時計に提供することが可能である。これにより、ユーザが関心のあるサイトを選択するステップを踏む必要がなくなるが、明らかに、関心のあるサイトを選択し直すことができなくなる。例えば、この実施形態によれば、ユーザは、時計を購入する際に、少なくとも部分的に、設定されているサイトに基づいて時計を選択することになる。代替的には、設定（及び場合によっては再設定）を例えば小売店で行うことが可能である。
【００６９】
更なる変形例では、アイコンを、設定時に適当な基板（必要であれば再書き込み可能なもの）上にプリントすることが可能であり、これにより、この目的で時計の動的な表示の専用領域を提供する必要がなくなる。
【００７０】
キーホルダー、ペン又は他の筆記用具、宝石又は他の装飾品、ペンナイフ又は工具、バッグ、財布又は札入れ、眼鏡、ゲーム又は玩具又は衣類又は履物の一品等の他の物品には、通常ディスプレイを設ける可能性がないため、それらをデータ通信システムの一部として使用するように適合させるためには、ディスプレイをペンのケースに設けなければならない。例えば、通常の書き方で保持する場合に可視であるように、ディスプレイをペンの本体に取り付けることが可能である。別の例として、眼鏡の場合、ディスプレイを、レンズに対する部分反射面とし、その上に情報を投影することが可能である。
【００７１】
図３は、本発明の実施形態の動作を示す複数のフローチャート300を示す。ステップ302で、データアイテム指定ソフトウェアは、関心のあるアイテムに対しアドレス及び位置データを照合する。ステップ304で、そのアドレス及び位置データを、以前に選択されたデータアイテム（ある場合）に対するアドレス及び位置データを含むアドレスデータファイル112に格納し追加する。ステップ306で、モバイル装置に表示される対応するアイコンを選択する。ステップ308で、アイコンを表すデータを、例えば選択されたデータアイテムを格納するために必要なワード数等の選択されたデータアイテムの性質を記述するメタデータと共に、モバイル装置設定データ136に追加する。ステップ310で、データアイテム指定プロセスが完了したか否かを判定する。データアイテム指定プロセスが完了していないと判定された場合には、制御はステップ302に戻る。データアイテム指定プロセスが完了したと判定された場合には、ステップ312で、アドレス及び位置データを含むファイル112を、データ捕捉ソフトウェア114により使用するためにサーバ104へ送信する。
【００７２】
ステップ314で、照合された設定データ136を使用してモバイル装置を設定する。モバイル装置は、ステップ316で、設定データ136を受け取って作用する。設定プロセスは、メモリにアイコンデータを格納すること、及び任意の要求されたデータに対応するデータの格納を可能にするためにメモリの十分な数のワードを各アイコンデータに関連付けることを保証することを含む。
【００７３】
ステップ318で、サーバ104は、指定されたデータアイテムに対するアドレスデータ112を受取り、そのアドレスデータ112をデータ捕捉ソフトウェア114に転送する。
【００７４】
ステップ320で、モバイル装置108は、ユーザからデータアイテムに対する要求を表す入力を検出する。ステップ322で、ダウンロード要求を生成しサーバ104に送信する。ステップ324で、サーバ104はダウンロード要求を受信する。ステップ326で、データ捕捉ソフトウェア114が、好ましくはリアルタイムに、アドレス及び位置データ112を使用して選択されたデータアイテムを取り出す。ステップ328で、取り出されたデータアイテムをモバイル装置108に送信する。ステップ330で、モバイル装置108は、検索されたデータアイテムを受信し、ステップ332で受信したデータアイテムを表示する。
【００７５】
上記実施形態は、時計から受け取ったダウンロード要求に応じたウェブページ126,132からのデータアイテムのリアルタイムダウンロードに関して説明したものであるが、実施形態はかかる構成には限定されない。例えば、データ捕捉手段が予めデータアイテムを検索し、時計のユーザによって要求されるまでそれらのアイテムをキャッシュする実施形態を実施することができる。代替的に又は追加的に、取り出されるデータアイテムを、将来の何時かにおけるユーザ選択を見越して取り出して腕時計200のメモリに転送することが可能である。データをリアルタイムにダウンロードするか否かは、データの時間的な感応性又は重要性にある程度依存することになる。
【００７６】
上記実施形態は、ダウンロード要求が一領域の選択時にサーバ104に自動的に送信されることに関して説明したものであるが、実施形態はかかる構成には限定されない。自動ダウンロード要求が、ボタン210〜214のうちの１つ又は組合せが動作されるまで送信されない実施形態を実施することができる。代替的に、ダウンロード要求を、アイコン又は領域が選択されるまで所定期間にわたり生成及び送信しないことが可能である。両実施形態とも、選択プロセスによって生成されるトラフィックの量は、ダウンロード要求が自動的に生成され送信される実施形態に比較して低減する。これは、ダウンロード要求の自動生成及び送信に比較してより少ない送信が行われるため、時計のバッテリがより長く持続することができる、という更なる利点を有することができる。
【００７７】
上記実施形態は、ベゼルを使用してアイコンが選択される際にアイコンの輝度が変化することに関して説明した。しかし、本発明の実施形態はかかる構成には限定されない。ベゼルが、何れのアイコンが現在選択されているかを示すために使用されるマーカを含む実施形態を実施することができる。選択された領域又はアイコンは、ベゼル224のマーカに最も近接するその領域又はアイコンである。更に、本発明の実施形態は、選択機構又は手段としてベゼルを使用することには限定されない。関心のあるアイコンを選択するためにボタン210〜214のうちの１つ又はそれらの組み合わせを使用することができる実施形態を実施することができる。例えば、第１のボタン210が第３のボタン214と共に押下された際に、現在選択されているアイコンの輝度を変化させることが可能であり、後続する押下毎に時計回りの次のアイコンを選択することが可能である。
【００７８】
上述したデータ指定手段は、選択されたデータアイテムのアドレスデータを照合するものとして示した。しかし、データ捕捉手段と共に作用するデータ指定手段が関心のあるデータアイテムを単純に指定し、該データ捕捉手段がそれらデータアイテムに対応するアドレスデータを照合する、という実施形態を実施することができる。また、タイミング情報をデータ指定手段において照合するのではなく、ユーザがデータ指定手段を使用してデータ捕捉のタイミングを指定するのに応じて、データ捕捉手段を使用してタイミング情報を照合することが可能である。
【００７９】
更に、上記実施形態は、各表示領域がアイコンを表示するよう動作するように説明したが、アイコンを表示するために表示領域のうちの選択された領域が使用され、すなわち使用時、アイコンデータを表示するために全ての領域を使用しなくてもよい実施形態を実施することができる。
【００８０】
上記実施形態は、メタデータを使用してモバイル装置のメモリを設定することに関して説明した。しかし、装置のメモリが特定サイズを有するデータアイテムを受け取るように事前設定された実施形態を実施することができる。かかる実施形態は、メタデータが指定されモバイル装置に送信される必要をなくし又は少なくとも低減させるものとなる。更に、データ捕捉手段がメタデータの照合を管理することが可能であり、これにより、データ捕捉手段は、送受信器144と通信ソフトウェア146とを使用してその情報をモバイル装置に都合よく通信することができる。
【００８１】
有利には、本発明の実施形態により、主機能を有する物品は、データ表示に関する二次機能もまた有することができる。
【００８２】
読者の注意は、この出願に関連してこの明細書と同時に又はそれより前に出願されこの明細書と共に公開される全ての書類及び文書に向けられ、かかる書類及び文書の全ての内容は、参照により本明細書に援用される。
【００８３】
この明細書（いかなる添付の特許請求の範囲、要約及び図面も含む）で開示した特徴の全て及び/又はそのように開示したいかなる方法又はプロセスのステップの全ても、かかる特徴及び/又はステップの少なくとも一部が相互に排他的である組み合わせを除き、あらゆる組み合わせで結合することが可能である。
【００８４】
この明細書（いかなる添付の特許請求の範囲、要約及び図面も含む）において開示した各特徴を、明記されない限り、同じ、等価な又は類似する目的にかなう代替特徴によって置き換えてもよい。このため、明記されない限り、開示した各特徴は、包括的な一続きの等価な又は類似する特徴の単なる一例である。
【００８５】
本発明は、いかなる上述した実施形態の詳細にも限定されない。本発明は、この明細書（いかなる添付の特許請求の範囲、要約及び図面も含む）において開示された特徴のうちの任意の新規な１つ又は任意の新規な組み合わせに、又はそのように開示した任意の方法又はプロセスのステップのうちの任意の新規な１つ又は任意の新規な組み合わせにまで及ぶ。
【図面の簡単な説明】
【００８６】
【図１】本発明の実施形態のデータ通信システムの概略図である。
【図２】本発明の実施形態によるデータ表示装置の図である。
【図３】本発明の実施形態によって行われる処理を示す複数のフローチャートである。
【図１】
2005516191.tif 000003
【図２】
2005516191.tif 000004
【図３】
2005516191.tif 000005
【国際調査報告】
2005516191.tif 000006
2005516191.tif 000007
2005516191.tif 000008